(57)【要約】【課題】本発明は減衰構造を有しながらも摩擦が少なくて耐久性を向上させることができ、簡単な構造を通じて製造費用を減らすことができる収納パネルガイド装置に関するものである。【解決手段】第１の磁性体と、前記第１の磁性体に向き合う第２の磁性体及びそれらの間に介在する薄板からなるマグネチックダンパと、前記第１の磁性体が取り付けられる収納パネルと、前記第２の磁性体が取り付けられるガイドパネルと、前記ガイドパネルが内部で移動するスロットを備えるスライドレールと、前記マグネチックダンパ、収納パネル及びガイドパネルを収容してスライドレールが装着される収納ケースとを備える。前記第１の磁性体及び第２の磁性体間に引力が作用する。【選択図】図４
2008104880.tif 000002
【特許請求の範囲】
【請求項１】
第１の磁性体と、前記第１の磁性体に向き合う第２の磁性体及びそれらの間に介在する薄板からなるマグネチックダンパと、
前記第２の磁性体が取り付けられる収納パネルと、
前記第２の磁性体が取り付けられるガイドパネルと、
前記ガイドパネルが内部で移動するようにスロットを備えるスライドレールと、
前記マグネチックダンパ、収納パネル及びガイドパネルを収容してスライドレールが装着される収納ケースとを備え、
前記マグネチックダンパの第１の磁性体及び第２の磁性体間には引力が作用する収納パネルガイド装置。
【請求項２】
前記第１の磁性体、薄板及び第２の磁性体は垂直に配置され、前記第１の磁性体は前記収納パネルの下面に取り付けられ、前記第２の磁性体は前記ガイドパネルの上面に取り付けられる請求項１に記載の収納パネルガイド装置。
【請求項３】
前記第１の磁性体、薄板及び第２の磁性体は水平に配置され、前記第２の磁性体は前記収納パネルの側面に取り付けられ、前記第２の磁性体は前記第１の磁性体と向き合うように前記ガイドパネルの側面に取り付けられる請求項１に記載の収納パネルガイド装置。
【請求項４】
前記薄板は前記収納ケースに固定される請求項１に記載の収納パネルガイド装置。
【請求項５】
前記収納パネルはホイールを備え、前記スライドレールは前記ホイール及びマグネチックダンパを収容するスロットを備える請求項１に記載の収納パネルガイド装置。
【請求項６】
前記第１及び第２の磁性体はいずれも永久磁石からなり、前記第１及び第２の磁性体は互いに引力が作用する請求項１〜５のいずれか一項に記載の収納パネルガイド装置。
【請求項７】
前記第１の磁性体は永久磁石からなり、
前記第２の磁性体は前記第１の磁性体により引力が作用する強磁性体からなる請求項１〜５のいずれか一項に記載の収納パネルガイド装置。
【請求項８】
前記第２の磁性体は永久磁石からなり、
前記第１の磁性体は前記第２の磁性体により引力が作用する強磁性体からなる請求項１〜５のいずれか一項に記載の収納パネルガイド装置。
【請求項９】
第１の磁性体と、
前記第１の磁性体に向き合う第２の磁性体と、
前記第１及び第２の磁性体間に介在する薄板とを備え、
前記第１の磁性体及び第２の磁性体間に引力が作用するマグネチックダンパ。
【請求項１０】
前記第１及び第２の磁性体はいずれも永久磁石からなり、
前記第１及び第２の磁性体は互いに引力を形成する請求項9に記載のマグネチックダンパ。
【請求項１１】
前記第１の磁性体は永久磁石からなり、
前記第２の磁性体は前記第1の磁性体により引力が作用する強磁性体からなる請求項９に記載のマグネチックダンパ。
【請求項１２】
前記第２の磁性体は永久磁石からなり、
前記第１の磁性体は前記第２の磁性体により引力が作用する強磁性体からなる請求項９に記載のマグネチックダンパ。
【請求項１３】
収納パネルガイド装置と、超音波診断装置及び収納ケースとを備える超音波診断システムにおいて、
前記収納パネルガイド装置はマグネチックダンパと、収納パネルと、ガイドパネルと、スライドレールとを備え、前記スライドレールにはスロットが形成され、
前記マグネチックダンパは前記第１の磁性体と、前記第１の磁性体に向き合う第２の磁性体及びそれらの間に介在する薄板とからなり、前記第１の磁性体及び第２の磁性体間に引力が作用し、
前記第１の磁性体は収納パネルに取り付けられ、
前記第２の磁性体はスロットに沿って移動するガイドパネルに取り付けられ、
前記超音波診断装置は収納パネルに配置され、
前記スライドレールは収納ケースに装着され、
前記収納ケースは収納パネルガイド装置及び超音波診断装置を収容する超音波診断システム。
【発明の詳細な説明】
【技術分野】
【０００１】
この発明は、超音波診断装置の収納パネルガイド装置、マグネチックダンパ、及び超音波診断システムに関し、より詳細にはガイドレールからパネルが滑ったり脱線することを防止するためのマグネチックダンパ(magnetic damper)を有する収納パネルガイド装置、その装置に用いるマグネチックダンパ、及びその装置を用いた超音波診断システムに関する。
【背景技術】
【０００２】
超音波診断装置は物体内部を視覚化して診断するための装置として広く用いられる。通常、超音波診断装置は収納ケースに収納される。収納パネルは超音波診断装置を収納ケースから取り出したり収納ケースに収容するために収納ケースの内部及び外部に移動することができる。
【０００３】
超音波診断装置用収納パネルで、収納パネルが所望しない位置に滑るようになれば、ユーザが気をとられ、診断中に手違いが発生することがある。また、精密な超音波診断装置に衝撃が加えられれば、故障が発生することがある。このような衝撃は減衰がない滑走運動と急激な停止によって発生し得る。従って、効果的に移動を減衰させることができる収納パネルガイド装置が必要である。
【０００４】
以下、従来技術による収納パネルガイド装置を図1〜図3を参照して説明する。
図１は従来技術によるホイールを備えた収納パネルガイド装置を示した分解斜視図であり、図２は図1の収納パネル装置を示した平断面図であり、図３は図１の収納パネルガイドを示した側断面図である。
【０００５】
図１〜図３の収納パネルガイド装置で、スムーズな移動のためにホイールが収納パネルに取り付けられる。図１に示した通り、ガイドレール(20)は収納パネル(10)の両側面に取り付けられ、これは収納ケース(図示せず)に設けられたスライドレール(30)に対応する。ホイール(21)はガイドレール(20)に取り付けられ、ホイールをガイドするスロット(32)がスライドレール(30)に備えられる。ホイール(21)及びスロット(32)は収納パネルの移動をスムーズにする。スライドレール(30)の端部にはストッパ(33)が備えられる。ストッパ(33)は収納パネルが収納ケースから完全に外部に離脱することを防止する。図2に示した通り、ストッパ(33)がホイール(21)の軸に接触すればホイール(21)はそれ以上移動できず、収納パネルもそれ以上移動することができない。
【０００６】
図３に示した収納パネルはストッパ(33)の代わりにスライドレール(30)端部に傾斜面(34)を備える。ホイール(21)はスライドレール(30)の端部に備えられた傾斜部(34)で停止する。ユーザが収納パネルを収納ケースから完全に取り出そうとする場合、収納パネル(10)を外側に引っ張ればよい。
【０００７】
図１〜図３の収納パネルガイド装置でユーザが収納パネルを停止させてもホイール(21)は継続的に回転したり滑ることができる。特に、超音波診断装置のような精密な医療装備用収納パネル(10)は定められた位置になければならないのでホイール(21)が継続的に動き収納パネルの非停止状態にある場合、ユーザが周囲に気をとられる。
【０００８】
【特許文献１】特開２００７−２１１７２号公報
【発明の開示】
【発明が解決しようとする課題】
【０００９】
本発明はこのような従来技術の問題を解決するためのもので、本発明の目的は減衰構造を有しながらも摩擦が少なくて耐久性を向上させることができ、簡単な構造を通じて製造費用を減らすことができる収納パネルガイド装置を提供することである。
【課題を解決するための手段】
【００１０】
前記目的を達成するための本発明の収納パネルガイド装置は第１の磁性体と、前記第１の磁性体に向き合う第２の磁性体及びそれらの間に介在する薄板からなるマグネチックダンパと、前記第１の磁性体が取り付けられる収納パネルと、前記第２の磁性体が取り付けられるガイドパネルと、前記ガイドパネルが内部で移動するスロットを備えるスライドレールと、前記マグネチックダンパ、収納パネル及びガイドパネルを収容してスライドレールが装着される収納ケースとを備える。前記第１の磁性体及び第２の磁性体間に引力が作用する。前記第１の磁性体、薄板及び第２の磁性体は垂直に配置されて、前記第１の磁性体は前記収納パネルの下面に取り付けられ、前記第２の磁性体は前記ガイドパネルの上面に付着できる。これとは異なり、前記第１の磁性体、薄板及び第２の磁性体は順に水平に配置され、前記第１の磁性体は前記収納パネルの側面に取り付けられ、前記第２の磁性体は前記第１の磁性体と向き合うように前記ガイドパネルの側面に取り付けられる。前記薄板は前記収納ケースに固定されることが望ましい。前記収納パネルはホイールを備え、前記スライドレールは前記ホイール及びマグネチックダンパを収容するスロットを備えることができる。
【００１１】
また、本発明によるマグネチックダンパは第１の磁性体と、前記第１の磁性体に向き合う第２の磁性体と、前記第１及び第２の磁性体間に介在する薄板を備え、前記第１の磁性体及び第２の磁性体間に引力が作用する。前記第１及び第２の磁性体はいずれも永久磁石からなり、前記第１及び第２の磁性体は互いに引力を形成する。一方、前記第１の磁性体は永久磁石からなり、前記第２の磁性体は前記第１の磁性体により引力が作用する強磁性体からなったり、前記第２の磁性体は永久磁石からなり、前記第１の磁性体は前記第２の磁性体により引力が作用する強磁性体からなることができる。
【００１２】
また、本発明による超音波診断システムは収納パネルガイド装置と、超音波診断装置及び収納ケースとを備える超音波診断システムにおいて、前記収納パネルガイド装置はマグネチックダンパ、収納パネル、ガイドパネル及びスロットを備えたスライドレールを備える。前記マグネチックダンパは前記第１の磁性体と、前記第１の磁性体に向き合う第２の磁性体及びそれらの間に介在する薄板からなり、前記第１の磁性体及び第２の磁性体間に引力が作用し、前記第１の磁性体は収納パネルに取り付けられ、前記第２の磁性体はスロットに沿って移動するガイドパネルに取り付けられ、前記超音波診断装置は収納パネルに配置され、前記スライドレールは収納ケースに装着され、前記収納ケースは収納パネルガイド装置及び超音波診断装置を収容する。
【発明の効果】
【００１３】
本発明によるマグネチックダンパを有する収納パネルガイド装置は収納パネルの摺動を効果的に減衰することができる。
【００１４】
また、本発明の磁性体及び薄板は水平または垂直に配置でき、一般的な収納パネルガイド装置ですべりを減衰するための手段として用いられることもできる。
【００１５】
また、本発明が超音波診断装置をガイドするために用いられる場合、超音波診断装置はユーザが収納パネルを押したり引っ張ったりしないと移動しないために、ユーザが診断に集中することができる。
【００１６】
また、本発明は収納パネルの動きが効果的に減衰されるので精密な超音波診断装置に衝撃があまり伝達されない効果があり、装置を一定の位置に停止させることができるので、超音波診断装置が配置される収納パネルガイド装置に用いられるのに適している。
【発明を実施するための最良の形態】
【００１７】
以下、添付した図面を参照して本発明に対する望ましい実施形態を詳細に説明する。
図４は本発明の一実施形態によるマグネチックダンパを備えた収納パネルガイド装置を示した斜視図である。図５は図４の収納パネルガイド装置のマグネチックダンパを示した斜視図である。本実施形態で、収納パネルガイド装置は収納パネル(210)と;収納パネル(210)下部に配置されるガイドパネル(220)と;マグネチックダンパと;スライドレール(240)からなる。
【００１８】
マグネチックダンパは第１の磁性体(211)と、第２の磁性体(221)及びこれらの間に介在する薄板(230)からなる。第１の磁性体(211)は収納パネル(210)の下面に取り付けられる。薄板(230)は収納ケース(図示せず)に固定される。第２の磁性体は第１の磁性体と引力が作用することができるように対向するように配置され、ガイドパネル(220)の上面に取り付けられる。薄板(230)は収納パネルの移動方向に平行に配置される。スライドレール(240)は収納ケースに装着される。また、スロット(241)がスライドレール(240)に形成される。ガイド板(222)がガイドパネル(220)から直交するように延び、ガイド(223)がガイド板(222)から突出してスロット(241)に挿入される。薄板(230)は収納ケースにブラケット(231)で固定される。
【００１９】
図６は本発明の第２実施形態による収納パネルのマグネチックダンパを示した斜視図である。本実施形態で、マグネチックダンパは第１の磁性体(311)と、薄板(330)と、第２の磁性体(321)とを備える。第１の磁性体(311)は収納パネル(310)の側面に取り付けられ、第２の磁性体(321)はガイドパネル(320)の側面に取り付けられる。薄板(330)は収納ケースに固定される。
【００２０】
図７は本発明の第３実施形態による収納パネルガイド装置の平面図である。本実施形態で、収納パネルガイド装置は収納パネル(410)と、ガイドパネル(420)と、マグネチックダンパと、ホイール(412)と、スライドレール(440)とを備える。収納物は収納パネル(410)に配置される。
【００２１】
マグネチックダンパは第１の磁性体(411)と、第２の磁性体(421)及びこれらの間に介在する薄板(430)とを備える。第１の磁性体(411)は収納パネル(410)の側面に取り付けられ、第２の磁性体(421)は第１の磁性体(411)と向き合って引力が作用するようにガイドパネル(420)の側面に取り付けられる。薄板(430)は収納パネル(410)の移動方向と平行に配置される。収納パネル(410)にはホイール(412)が備えられる。スライドレール(440)は収納パネル(410)とガイドパネル(420)に平行に配置され、ホイール(412)とマグネチックダンパを収容する。従って、マグネチックダンパは収納パネル(410)の移動を減衰するための力を一定に供給する。
【００２２】
前述した実施形態で、第１及び第２の磁性体がいずれも極性を有する磁性体であってもよい。このような場合、これらは互いに引力が作用するように配置されなければならない。例えば第１及び第２の磁性体が永久磁石からなる場合、互いに異なった極が向き合うように配置されなければならない。
【００２３】
以下では本発明による超音波診断装置のプローブの超音波振動子回動装置の動作及び作用効果を図4及び図5を参照して説明することにする。
【００２４】
薄板(230)は収納ケースにブラケット(231)により固定手段(ネジ、リベット、接着剤等)を用いて固定できる。薄板(230)は第１の磁性体及び第２の磁性体に介在する。第１及び第２の磁性体(211、221)間で薄板(230)を通じて引力が作用する。従って、薄板(230)は第１の磁性体(211)が第２の磁性体(221)に直接付くことを防止することができる。ユーザが収納パネル(210)を引っ張ると、収納パネル(210)は収納ケース外側に移動する。以後、ユーザが収納パネル(210)を引っ張ることを止めれば、薄板(230)と第１及び第２の磁性体(211、221)間に作用する摩擦力と、第１及び第２の磁性体(211、221)間に作用する磁気引力が収納パネル(210)の移動を減衰し、結局、すべりなく収納パネルが停止することができる。
【図面の簡単な説明】
【００２５】
【図１】従来技術によるホイールを備えた収納パネルガイド装置を示した分解斜視図である。
【図２】図１の収納パネル装置を示した平断面図である。
【図３】図１の収納パネルガイドを示した側断面図である。
【図４】本発明の一実施形態によるマグネチックダンパを備えた収納パネルガイド装置を示した斜視図である。
【図５】図４の収納パネルガイド装置のマグネチックダンパを示した斜視図である。
【図６】本発明の第２実施形態による収納パネルのマグネチックダンパを示した斜視図である。
【図７】本発明の第3実施形態による収納パネルガイド装置の平面図である。
【符号の説明】
【００２６】
210、310、410:収納パネル
211、311、411:第1の磁性体
220、320、420:ガイドパネル
221、321、421:第2の磁性体
222:ガイド板
223:ガイド
230、330、430:薄板
240、440:ガイドレール
241:スロット
【図１】
2008104880.tif 000003
【図２】
2008104880.tif 000004
【図３】
2008104880.tif 000005
【図４】
2008104880.tif 000006
【図５】
2008104880.tif 000007
【図６】
2008104880.tif 000008
【図７】
2008104880.tif 000009